(57)【要約】【課題】  指輪として使用可能な状態から指輪以外の装飾身具に使用可能な状態に簡単かつスピーディに変更することができる指輪兼用装飾身具を提供する。【解決手段】  指に対し環状に装着可能なリング部１０と、指輪以外の装飾身具として使用可能に構成されるとともに前記リング部１０に対し離脱可能に嵌め合わせられた装飾体本体２０と、該装飾体本体２０に相対して進退するように設けられたスライド軸３０とを備え、前記スライド軸３０は、その後端側に前記装飾体本体２０の外部に露出する摘み部３０ｂを有するとともに、その前端側が前記装飾体本体２０と前記リング部１０の周壁との双方に挿通され、後退した際に前記リング部１０の周壁から抜けるように設けられている。【選択図】図１
2010068912.tif 000002
【特許請求の範囲】
【請求項１】
指に対し環状に装着可能なリング部と、指輪以外の装飾身具として使用可能に構成されるとともに前記リング部に対し離脱可能に嵌め合わせられた装飾体本体と、該装飾体本体に相対して進退するように設けられたスライド軸とを備え、
前記スライド軸は、その後端側に前記装飾体本体の外部に露出する摘み部を有するとともに、その前端側が前記装飾体本体と前記リング部の周壁との双方に挿通され、後退した際に前記リング部の周壁から抜けるように設けられていることを特徴とする指輪兼用装飾身具。
【請求項２】
前記スライド軸が前記装飾体本体と前記リング部の周壁との双方に挿通された前進位置で前記装飾体本体に係止されるように、前記スライド軸と前記装飾体本体とのうちの一方に係止凹部を設けるとともに、その他方には前記スライド軸が前進した際に前記係止凹部に嵌り合い前記スライド軸が後退した際には前記係止凹部から離脱する係止凸部を設けたことを特徴とする請求項１記載の指輪兼用装飾身具。
【請求項３】
前記スライド軸は、所定量後退した際に前記装飾体本体に係止されて前記装飾体本体から抜け出ないようにする抜止突起を有することを特徴とする請求項１又は２記載の指輪兼用装飾身具。
【請求項４】
前記スライド軸の摘み部には、紐状物を挿通するための貫通孔が設けられていることを特徴とする請求項１乃至３何れか１項記載の指輪兼用装飾身具。
【請求項５】
前記リング部の周壁には、遠心方向へ突出する係合突起が設けられ、
前記装飾体本体には、前記係合突起と嵌り合う被係合凹部が設けられ、
前記スライド軸は、前記被係合凹部内で前記係合突起に挿通されていることを特徴とする請求項１乃至４何れか１項記載の指輪兼用装飾身具。
【請求項６】
前記リング部の周壁には、前記装飾体本体を間に挟むようにして前記装飾体本体の側面に当接する二つの当接突起が設けられていることを特徴とする請求項１乃至５何れか１項記載の指輪兼用装飾身具。
【発明の詳細な説明】
【技術分野】
【０００１】
本発明は、指輪と指輪以外の装飾身具（例えば、ペンダント、ブローチ、イヤリング等）を兼用可能な指輪兼用装飾身具に関するものである。
【背景技術】
【０００２】
従来、この種の発明には、例えば特許文献１に記載されたもののように、リング（１）と、該リングに対し離脱可能に装着された装飾体（２）とを備えた装身具がある。
この従来技術によれば、リング（１）が外された装飾体（２）に、鎖等の吊り下げ部材（３）を通せば、装飾体（２）をペンダントとして使用することができる。
【０００３】
しかしながら、前記従来技術において、装飾体（２）からリング（１）を外すには、装飾体（２）とリング（１）を接続している軸（６）を収縮させる作業が必要となる。この作業は、先細状の特殊な工具を装飾体（２）とリング（１）の隙間に挿入する必要があり、非常に面倒な上、時間もかかる。
【特許文献１】特許３１０３４９５号公報
【発明の開示】
【発明が解決しようとする課題】
【０００４】
本発明は上記従来事情に鑑みてなされたものであり、その課題とする処は、指輪として使用可能な状態から指輪以外の装飾身具に使用可能な状態に簡単かつスピーディに変更することができる指輪兼用装飾身具を提供することにある。
【課題を解決するための手段】
【０００５】
上記課題を解決するための技術的手段は、指に対し環状に装着可能なリング部と、指輪以外の装飾身具として使用可能に構成されるとともに前記リング部に対し離脱可能に嵌め合わせられた装飾体本体と、該装飾体本体に相対して進退するように設けられたスライド軸とを備え、前記スライド軸は、その後端側に前記装飾体本体の外部に露出する摘み部を有するとともに、その前端側が前記装飾体本体と前記リング部の周壁との双方に挿通され、後退した際に前記リング部の周壁から抜けるように設けられていることを特徴とする。
この技術的手段によれば、スライド軸を後退させれば、リング部が装飾体本体から分離可能な状態になる。
【０００６】
更なる技術的手段では、前記スライド軸が前記装飾体本体と前記リング部の周壁との双方に挿通された前進位置で前記装飾体本体に係止されるように、前記スライド軸と前記装飾体本体とのうちの一方に係止凹部を設けるとともに、その他方には前記スライド軸が前進した際に前記係止凹部に嵌り合い前記スライド軸が後退した際には前記係止凹部から離脱する係止凸部を設けたことを特徴とする。
この技術的手段によれば、係止凹部と係合凸部との嵌り合いによって、スライド軸を前進位置で係止することができる。
【０００７】
更なる技術的手段では、前記スライド軸は、所定量後退した際に前記装飾体本体に係止されて前記装飾体本体から抜け出ないようにする抜止突起を有することを特徴とする。
この技術的手段によれば、スライド軸は所定量後退すると抜止突起を装飾体本体に係止する。したがって、スライド軸が装飾体本体から抜け落ちてしまうようなことを防ぐことができる。
【０００８】
更なる技術的手段では、前記スライド軸の摘み部には、紐状物を挿通するための貫通孔が設けられていることを特徴とする。
この技術的手段によれば、摘み部に紐状物を挿通して、装飾体本体をペンダントとして用いることができる。
【０００９】
更なる技術的手段では、前記リング部の周壁には、遠心方向へ突出する係合突起が設けられ、前記装飾体本体には、前記係合突起と嵌り合う被係合凹部が設けられ、前記スライド軸は、前記被係合凹部内で前記係合突起に挿通されていることを特徴とする。
この技術的手段によれば、係合突起と被係合凹部との嵌り合い、及び係合突起に対するスライド軸の挿通により、装飾体本体に相対してリング部が周方向へ周方向へがたつくようなことを防ぎ、リング部を容易に外れることのないように頑丈に固定できる。
【００１０】
更なる技術的手段では、前記リング部の周壁には、前記装飾体本体を間に挟むようにして前記装飾体本体の側面に当接する二つの当接突起が設けられている。
この技術的手段によれば、二つの当接部と装飾体本体との当接により、装飾体本体に対しリング部が周方向へがたつくのを阻む。
【発明の効果】
【００１１】
本発明は、以上説明したように構成されているので、以下に記載されるような作用効果を奏する。
摘み部を摘んで後方へ引けば、スライド軸が後退して、該スライド軸の前端側がリング部の周壁から抜ける。したがって、装飾体本体からリング部を外して、装飾体本体を指輪以外の装飾身具として用いることができる。
よって、指輪として使用可能な状態から指輪以外の装飾身具として使用可能な状態に簡単かつスピーディに変更することができる。
【発明を実施するための最良の形態】
【００１２】
以下、本発明の実施の形態を図面に基づいて説明する。
この指輪兼用装飾身具Ａは、指に対し環状に装着可能なリング部１０と、指輪以外の装飾身具として使用可能に構成されるとともに前記リング部１０に対し離脱可能に嵌め合わせられた装飾体本体２０と、該装飾体本体２０に対して進退するように設けられたスライド軸３０とを具備してなり（図１参照）、リング部１０が装着された状態では指輪として用いられ、リング部１０が外された状態ではペンダントとして用いられる。
【００１３】
リング部１０は、金属材料から形成され、指を挿通させることが可能な略環状のリング本体１１と、リング本体１１の周壁から遠心方向へ突出した係合突起１２と、係合突起１２の両側に間隔を置いて配設されて装飾体本体２０側面に当接する二つの当接突起１３，１３とを一体に具備している。
【００１４】
リング本体１１は、指を通すための指孔１１ａを有する環状体である。
係合突起１２は、図示例によれば、リング部１０の周壁から遠心方向へ立方体状に突出しており、スライド軸３０によって係止される係止孔１２ａを有する。係止孔１２ａは、スライド軸３０の前端側を遊挿可能な貫通孔であり、リング本体１１の指孔１１ａに対し、略平行に配設されている。
【００１５】
また、各当接突起１３は、係合突起１２に対しリング本体１１の周方向へ間隔を置いて配設されるとともに、リング本体１１の遠心方向へ突出するように設けられ、その内側の面（換言すれば係合突起１２側の面）を、装飾体本体２０の側面に当接させる。
【００１６】
装飾体本体２０は、中空状の枠体２１と、該枠体２１の表部に固定された装飾物２２と、該枠体２１の裏部に設けられた嵌合凹部２３と、枠体２１内に設けられたシリンダー部２４とから一体的に構成される。
【００１７】
枠体２１は、金属材料から中空状に形成され、その表部側に装飾物２２を固定するとともに、その裏部側に嵌合凹部２３を固定し、また内部にはシリンダー部２４を固定している。
この枠体２１は、図示例によれば周囲を閉鎖した壁面によって形成しているが、例えば周囲の壁面を籠状に構成する等、適宜デザインされた形状に形成される。
枠体２１における側面の裏部側の部分は、リング部１０の当接突起１３に当接されるように形成される。
【００１８】
前記枠体２１における後端側の部分には、装飾体本体２０を挿通させるための貫通孔２１ａと、前進した際の装飾体本体２０を係止するための複数（図示例によれば二つ）の係止凸部２１ｂ，２１ｃが設けられる。
【００１９】
貫通孔２１ａは、シリンダー部２４の後方側に配置された孔であり、シリンダー部２４と協働してスライド軸３０をスライド可能に挿通する。
【００２０】
一方の係止凸部２１ｂは、枠体２１の後端側の一部分を後方へ突出させるとともにその先端側を表部側（図３によれば下側）へ突出させた略Ｌ字状に形成される。この係止凸部２１ｂは、弾性変形することで、先端部分をスライド軸３０の一方の係止凹部３１に対し嵌脱する。
【００２１】
他方の係止凸部２１ｃは、枠体２１の後端側の一部分を後方へ突出させるとともにその先端側を裏部側（図３によれば上側）へ突出させた略Ｌ字状に形成される。この係止凸部２１ｃは、弾性変形することで、先端部分をスライド軸３０の他方の係止凹部３２に対し嵌脱する。
【００２２】
また、装飾物２２は、宝石等の装飾物であり、枠体２１表部側の図示しない爪部がかしめられることで、不動に固定される。
【００２３】
嵌合凹部２３は、リング部１０の二つの当接突起１３，１３間の部分に嵌り合うように形成された略扇方の凹部であり、その内部底面には、リング部１０の係合突起１２に嵌り合う被係合凹部２３ａを有する。
この嵌合凹部２３は、リング本体１１周壁の両側面に当接することで、リング部１０がその中心軸方向へがたつくのを防ぐ。
【００２４】
被係合凹部２３ａは、係合突起１２に嵌り合う略立方体状の凹部であり、リング部１０が周方向へ回転するのを阻む。
この被係合凹部２３ａの前後の壁部には、スライド軸３０を挿通するための貫通孔２３ａ１が設けられる。この貫通孔２３ａ１は、嵌り合った状態のリング部１０の係止孔１２ａに連続するように設けられる。
【００２５】
また、シリンダー部２４は、前記被係合凹部２３ａの貫通孔２３ａ１に連続する貫通孔を形成するようにして、枠体２１内に固定されている。このシリンダー部２４は、スライド軸３０の前端側がリング部１０に対しスムーズに係脱するように、進退するスライド軸３０を高精度に案内する。
このシリンダー部２４の前端部は、被係合凹部２３ａの貫通孔２３ａ１に接続されている。そして、同シリンダー部２４の後端部は、枠体２１内で後方へ延設されている。
【００２６】
前記シリンダー部２４の周壁には、前後方向（換言すればスライド軸３０の進退方向）へわたる切欠部２４ａ（図１（ａ）参照）が設けられている。この切欠部２４ａには、後述するスライド軸３０の抜止突起３３が挿通される。
シリンダー部２４の後端部は、枠体２１内に固定された環状支持部２１ｄに当接している。環状支持部２１ｄは、シリンダー部２４よりも外径が大きく且つスライド軸３０を挿通可能な環状に形成される。この環状支持部２１ｄには、スライド軸３０の前記抜止突起３３が当接するようになっている。
【００２７】
また、スライド軸３０は、装飾体本体２０内で前後方向へわたる軸部３０ａと、該軸部３０ａの後端に接続されて装飾体本体２０の外部に露出される摘み部３０ｂとからなる。
【００２８】
軸部３０ａは、被係合凹部２３ａから環状支持部２１ｄにわたる長さの略円柱状の軸体であり、その長さ方向の中途箇所における外周面に、遠心方向へ突出して切欠部２４ａに遊嵌する抜止突起３３を有する。
【００２９】
摘み部３０ｂは、前進した際に環状支持部２１ｄの後端面に当接し、後端した際には装飾体本体２０の外部へ露出されるように形成される。
この摘み部３０ｂの後端側には、装飾体本体２０の係止凸部２１ｂに嵌脱させるための係止凹部３１と、同装飾体本体２０の係止凸部２１ｃに嵌脱させるための係止凹部３２とが形成されている。これら係止凹部３１と係止凹部３２の各々は、係止凸部２１ｂ（又は２１ｃ）に対しスムーズに嵌脱するように、適宜深さの凹曲状に形成される。
【００３０】
また、摘み部３０ｂには、例えば鎖やワイヤー等の可撓性の紐状物を挿通するための貫通孔３４が設けられている。この貫通孔３４は、スライド軸３０が後退した際に装飾体本体２０外に露出されるように配置されている。
【００３１】
また、摘み部３０ｂの裏部側における最後端側には、指先や爪先等によって引っ掛けられるように、掛合突起３５が設けられる。
【００３２】
次に、上記構成の指輪兼用装飾身具Ａについて、その作用効果を詳細に説明する。
先ず、指輪兼用装飾身具Ａが指輪として用いられる際には、リング部１０が装飾体本体２０に嵌り合って一体化されている（図１（ａ）〜（ｃ）、図３（ａ）、及び図５（ａ）参照）。
より詳細に説明すれば、リング部１０の両当接突起１３，１３間の部分が装飾体本体２０の嵌合凹部２３に嵌り合い、同リング部１０の係合突起１２が同装飾体本体２０の被係合凹部２３ａに嵌り合い、同リング部１０の両当接突起１３，１３が装飾体本体２０側面に当接した状態で、スライド軸３０の前端側が、装飾体本体２０とリング部１０の周壁との双方に対し挿通されている。
したがって、リング部１０は装飾体本体２０に対し前後左右にがたつくことなく、頑丈に固定される。
【００３３】
また、同指輪兼用装飾身具Ａがペンダントとして用いられる際には、装飾体本体２０からリング部１０が外される。
詳細に説明すれば、図３に示されるように、掛合突起３５に指先の爪が掛けられる等して、スライド軸３０が後方へ引かれる。
すると、図４（ｂ）に示すように係止凸部２１ｂ，２１ｃが若干弾性変形することにより、係止凹部３１，３２から係止凸部２１ｂ，２１ｃがそれぞれ抜き出る。
【００３４】
スライド軸３０の後方への移動は、図３（ｂ）に示すように、抜止突起３３が環状支持部２１ｄに係止されることで規制される。この規制された後退位置では、摘み部３０ｂの前端が係止凸部２１ｂよりも後方側に位置する。したがって、スライド軸３０は、摘み部３０ｂ前端と係止凸部２１ｂとの当接により、容易に前方へ移動しない状態になる。
【００３５】
そして、スライド軸３０が前記後退位置にある際には、リング部１０の係止孔１２ａからスライド軸３０が抜かれるため、リング部１０は装飾体本体２０の裏部側へ容易に離脱される。
【００３６】
リング部１０が外された装飾体本体２０は、図６に示すように、摘み部３０ｂの貫通孔３４に鎖等の紐状物が通されて、ペンダントとして用いることが可能である。
【００３７】
また、逆に装飾体本体２０に対しリング部１０を装着する場合には、先ず、装飾体本体２０の嵌合凹部２３に対しリング部１０の周壁部分を嵌め合わせるとともに、装飾体本体２０の被係合凹部２３ａにリング部１０の係合突起１２を嵌め合わせる。
【００３８】
そして、指先等によりスライド軸３０の摘み部３０ｂを前方へ押す。すると、摘み部３０ｂの前端に当接されて係止凸部２１ｂが若干弾性変形し、スライド軸３０は、図３（ｂ）に示す状態から図４（ｂ）に示す状態まで前進する。スライド軸３０は、更に前進すると、図４（ａ）に示すように、係止凹部３１，３２を装飾体本体２０の係止凸部２１ｂ，２１ｃに嵌め合わせる。したがって、スライド軸３０は容易に後退しない状態に戻る。
【００３９】
よって、上記構成の指輪兼用装飾身具Ａによれば、摘み部３０ｂを摘んで前後へ進退させるという簡単な操作により、０．５〜２秒程度の極短い時間で、リング部１０を安全確実に着脱することができる。
しかも、リング部１０を装着した状態では、リング部１０が装飾体本体２０に対し頑丈に嵌り合う上、スライド軸３０が容易に後退しないように係止されるため、リング部１０の脱落を防止することができる。
【００４０】
なお、上記指輪兼用装飾身具Ａは、特に好ましい一例として、指輪とペンダントを兼用する態様を示したが、他例としては、指輪とイヤリングを兼用する態様や、指輪とブローチを兼用する態様、指輪とペンダントとイヤリングを兼用する態様、指輪とペンダントとブローチを兼用する態様、指輪とペンダントとイヤリングとブローチを兼用する態様等、指輪と指輪以外の装飾寝具とを兼用する態様とすることが可能である。
なお、前記他例においては、装飾体本体２０に対し、イヤリングやブローチ等として用いるためのピンや金具等の構成が適宜付加される。
【図面の簡単な説明】
【００４１】
【図１】本発明に係る指輪兼用装飾身具の一例を示し、（ａ）は背面図、（ｂ）は平面図、（ｃ）は側面図である。
【図２】（ａ）はスライド軸の一例を示す斜視図、（ｂ）はリング部の一例を示す斜視図である。
【図３】図１における(III)-(III)線断面図であり、（ａ）はリング部が装着された状態を示し、（ｂ）はリング部が外された状態を示す。
【図４】同指輪兼用装飾身具における要部拡大断面図であり、（ａ）はスライド軸が前進位置で係止された状態を示し、（ｂ）はスライド軸が後退途中にある状態を示す。
【図５】図１における(V)-(V)線断面図であり、（ａ）はリング部が装着された状態を示し、（ｂ）はリング部が外された状態を示す。
【図６】同指輪兼用装飾身具をペンダントとして用いた一例を示す正面図である。
【符号の説明】
【００４２】
１０：リング部                      １２：係合突起
１３：当接突起                      １２ａ：係止孔
２０：装飾体本体                    ２１ｂ，２１ｃ：係止凸部
３０：スライド軸                    ３１，３２：係止凹部
３４：貫通孔                        ３０ｂ：摘み部
Ａ：指輪兼用装飾身具
【図１】
2010068912.tif 000003
【図２】
2010068912.tif 000004
【図３】
2010068912.tif 000005
【図４】
2010068912.tif 000006
【図５】
2010068912.tif 000007
【図６】
2010068912.tif 000008